(57)【特許請求の範囲】
【請求項１】
１乃至複数の照明器具と、
前記照明器具に高電圧の交流電圧・交流電流を供給するための電力線と、
調光レベルを指示する調光信号を生成して出力するコントローラと、
前記調光信号を、前記調光レベルを変えずに波高値が前記交流電圧の実効値と同等以上である高圧調光信号に変換する変換装置と、
前記高圧調光信号を前記照明器具に伝送する信号線とを備え、
前記照明器具は、光源と、
前記高圧調光信号を前記調光信号に変換する変換部と、
前記電力線を介して供給される交流電圧・交流電流を用いて、前記光源を点灯する点灯回路部とを備え、
前記点灯回路部は、前記変換部で構成された前記調光信号の調光レベルに対応して前記光源を調光点灯するように構成される
ことを特徴とする照明制御システム。
【請求項２】
前記コントローラは、前記調光信号として、一定周期のパルス信号のデューティ比を前記調光レベルで変調したパルス幅変調信号を生成することを特徴とする請求項１記載の照明制御システム。
【請求項３】
前記コントローラは、前記調光信号として、一定周期の正弦波電圧の導通角を前記調光レベルで変調した導通角制御信号を生成することを特徴とする請求項１記載の照明制御システム。
【請求項４】
照度を検出する照度センサをさらに備え、
前記コントローラは、前記照度センサで検出される照度に対応した調光レベルの前記調光信号を生成して出力することを特徴とする請求項１乃至３のいずれか１項記載の照明制御システム。
【発明の詳細な説明】
【技術分野】
【０００１】
本発明は、照明制御システムに関し、特にトンネル内の照明に用いられる照明制御システムに関する。
【背景技術】
【０００２】
従来、トンネル内のような複数の照明器具が長距離に亘って配列される場合において、配線長による電圧降下で各照明器具に供給される調光信号電圧に差が生じるという問題があった。また、調光信号が微弱な直流電圧であるため、ノイズの影響を受けやすくなるという問題もあった。
【０００３】
上記問題を解決する従来例として、特許文献１記載の調光照明システム（照明制御システム）を例示する。
【０００４】
特許文献１記載の調光照明システムでは、電源供給源から高い電源電圧を伝送する３つの電力線が用いられている。当該３つの電力線は、トンネル内の長手方向に配線されており、配線方向に沿って複数の照明器具がある間隔をおいて配置されている。前記３つの電力線のうち、２つの電力線（第１電力線及び第２電力線）は、電源周波数５０Ｈｚ又は６０ＨｚでＡＣ２００〜３００Ｖの範囲内の電圧を送電可能な電源線である。第１電力線及び第２電力線は、各照明器具内の点灯回路（例えばインバータ式点灯回路）の電源端子に電源を供給するための主電源線として使用されている。また、残り１つの電力線（第３電力線）は、電源周波数５０Ｈｚ又は６０ＨｚでＡＣ１００〜３００Ｖの範囲内の電圧を送電可能な電源線である。第３電力線は、第１電力線及び第２電力線から出力される電源電圧に対して電圧差又は位相差を有しており、調光信号線として用いられる。第３電力線の経路上には、調光用操作スイッチが接続されている。電源電圧は、第３電力線を介して調光用操作スイッチがオン・オフすることによって照明器具への電圧印加の有無が切り替わる。
【０００５】
このように、特許文献１記載の調光照明システムでは、１００Ｖ〜３００Ｖの高電圧が第３電力線を介して配電されることによって配線長による電圧降下を抑制している。また、電源電圧は、ノイズによる影響が少ない。したがって、特許文献１記載の調光照明システムでは、安定した調光動作が可能である。
【先行技術文献】
【特許文献】
【０００６】
【特許文献１】特開２００１−２４４０８２号公報
【発明の概要】
【発明が解決しようとする課題】
【０００７】
ところで、特許文献１記載の調光照明システムでは、調光用操作スイッチがオフのとき、調光信号としての電源電圧は照明器具に印加されず、照明器具内の光源は１００％の調光レベルで点灯する。また、調光用操作スイッチがオンのとき、調光信号としての電源電圧が照明器具に印加され、予め照明器具に記憶されている調光レベル、（例えば、５０％のレベル）で光源が点灯する。ゆえに、特許文献１記載の調光照明装置は、調光レベルが１００％または５０％の２段階でしか調光することができない。調光レベルは照明器具に予め記憶されているため、各照明器具の調光レベルを変更したい場合、照明器具を付け替える等の対応が必要である。
【０００８】
本発明は、上記事由に鑑みて為されたものであり、配線長による調光信号の電圧降下を抑制しつつ調光制御の自由度を高くすることを目的とする。
【課題を解決するための手段】
【０００９】
本発明の照明制御システムは、１乃至複数の照明器具と、前記照明器具に高電圧の交流電圧・交流電流を供給するための電力線と、調光レベルを指示する調光信号を生成して出力するコントローラと、前記調光信号を、前記調光レベルを変えずに波高値が前記交流電圧の実効値と同等以上である高圧調光信号に変換する変換装置と、前記高圧調光信号を前記照明器具に伝送する信号線とを備え、前記照明器具は、光源と、前記高圧調光信号を前記調光信号に変換する変換部と、前記電力線を介して供給される交流電圧・交流電流を用いて、前記光源を点灯する点灯回路部とを備え、前記点灯回路部は、前記変換部で変換された前記調光信号の調光レベルに対応して前記光源を調光点灯するように構成されることを特徴とする。
【発明の効果】
【００１０】
本発明の照明制御システムは、配線長による電圧降下を抑制しつつ調光制御の自由度を高くすることができる。
【図面の簡単な説明】
【００１１】
【図１】本発明に係る照明制御システムの実施形態１を示すシステム構成図である。
【図２】同上における調光信号を示す波形図である。
【図３】同上における変換装置の回路構成図である。
【図４】同上における変換部の回路構成図である。
【図５】同上の動作説明用のタイミングチャートである。
【図６】本発明に係る照明制御システムの実施形態２を示すシステム構成図である。
【図７】本実施形態に係る照明制御システムの実施形態３を示すシステム構成図である。
【図８】同上における導通角制御信号を示し、図８Ａは導通角制御信号の波形図、図８ＢはＰＷＭ調光信号の波形図である。
【図９】本実施形態に係る照明制御システムの実施形態４を示すシステム構成図である。
【発明を実施するための形態】
【００１２】
以下、本発明に係る照明制御システムについて、図１から図９を参照して詳細に説明する。
（実施形態１）
本実施形態の照明制御システムの構成について、図１を参照して説明する。照明制御システムは、複数の照明器具１と、電力線６と、調光レベルを指示するコントローラ２と、調光信号を高圧調光信号に変換する変換装置４とを備える。さらに、照明制御システムは、照明器具１へ高電圧のＰＷＭ調光信号を伝送する信号線５を備える。
【００１３】
交流電源１００は、実効値１００Ｖ又は２００Ｖの交流電圧・交流電流を、電力線６を介して変換装置４及び複数の照明器具１に供給する。
【００１４】
コントローラ２は、例えば、制御部２０１、入力部２０２、表示部２０３、信号出力部２０４を有する。
【００１５】
コントローラ２の入力部２０２は、押釦スイッチや、タッチパネル等の入力デバイスを有する。ユーザは入力部２０２の入力デバイスを使用して調光レベルの入力及び変更ができる。入力された調光レベルのデータは、制御部２０１に記憶される。
【００１６】
コントローラ２の表示部２０３は、液晶ディスプレイ（ＬＣＤ）等の表示デバイスを有する。ＬＣＤに表示される内容、例えばユーザが入力部２０２に入力した調光レベルは、制御部２０１によって制御される。
【００１７】
コントローラ２の制御部２０１は、マイコン（マイクロコンピュータ）を有し、入力部２０２によって入力されたデータを記憶する。制御部２０１は、図２に示すように、パルス信号のデューティ比（＝Ｔ１／Ｔ０）を光源１１の調光レベルで変換したＰＷＭ調光信号を生成する。
【００１８】
コントローラ２の信号出力部２０４は、制御部２０１によって生成されたＰＷＭ調光信号をＰＷＭ調光信号線３を介して変換装置４に送信する。
【００１９】
変換装置４は、コントローラ２の信号出力部２０４から出力されたＰＷＭ調光信号の調光レベルを変えずに信号電圧の波高値が交流電圧の実効値（１００Ｖ又は２００Ｖ）と同等以上である高電圧のＰＷＭ調光信号、つまり高圧ＰＷＭ調光信号に変換する。
【００２０】
本実施形態の変換装置４は、図３に示すように、ダイオードブリッジＤＢ１と、平滑コンデンサＣ１と、抵抗Ｒ１１，Ｒ１２と、トランジスタＴｒ１とを用いて構成される。ダイオードブリッジＤＢ１の出力端子間には、平滑コンデンサＣ１と、抵抗Ｒ１２とトランジスタＴｒ１の直列回路とが電気的に並列接続される。トランジスタＴｒ１のベースは、抵抗Ｒ１１を介して入力端子６５に電気的に接続される。トランジスタＴｒ１のエミッタは、グランドに電気的に接続される。トランジスタＴｒ１のコレクタとエミッタには、一対の出力端子６３，６４がそれぞれ電気的に接続される。
【００２１】
ダイオードブリッジＤＢ１は、交流電源１００から入力端子６１，６２に入力される交流電圧を全波整流する。平滑コンデンサＣ１は、ダイオードブリッジＤＢ１から出力される脈流電圧を平滑する。入力端子６５から入力されるＰＷＭ調光信号の電圧値がハイレベルの場合、トランジスタＴｒ１はオンになり、出力端子６３，６４から出力される電圧は０Ｖとなる。入力端子６５から入力されるＰＷＭ調光信号の電圧値がローレベルの場合、トランジスタＴｒ１はオフになり、高電圧（例えば、１４１Ｖ）の直流電圧が出力端子６３，６４から出力される。出力端子６３，６４から出力される高圧ＰＷＭ調光信号のオン期間及びオフ期間は、コントローラ２によって生成されるＰＷＭ調光信号のオン期間及びオフ期間と入れ換わる。
【００２２】
高圧ＰＷＭ調光信号は、信号線５を介して変換装置４から複数の照明器具１に伝送される。
【００２３】
照明器具１は、光源１１と、変換部１３と、点灯回路部１２とを備える。
【００２４】
光源１１は、連続的に調光可能な光源、例えば、複数のＬＥＤ（発光ダイオード）が用いられる。ただし、光源１１は高圧放電ランプでも構わない。
【００２５】
変換部１３は、高圧ＰＷＭ調光信号を低電圧のＰＷＭ調光信号に変換する。
【００２６】
本実施形態の変換部１３は、図４に示すように、ダイオードブリッジＤＢ２と、抵抗Ｒ２１，Ｒ２２，Ｒ２３、Ｒ２４，Ｒ２５，Ｒ２６と、ツェナーダイオードＺＤ１と、フォトカプラＰＣ１を用いて構成される。フォトカプラＰＣ１は、発光ダイオードとフォトトランジスタとで構成される。抵抗Ｒ２１，Ｒ２２は分圧抵抗であり、ダイオードブリッジＤＢ２の出力端子の間に電気的に直列接続されている。ツェナーダイオードＺＤ１のカソードは、抵抗Ｒ２１，Ｒ２２の接続点に電気的に接続されている。ツェナーダイオードＺＤ１のアノードは、ダイオードブリッジＤＢ２の低電位側の出力端子に電気的に接続されている。フォトカプラＰＣ１の発光ダイオードのアノードは抵抗Ｒ２３を介して抵抗Ｒ２１，Ｒ２２の接続点に電気的に接続されている。フォトカプラＰＣ１の発光ダイオードのカソードは、ダイオードブリッジＤＢ２の低電位側の出力端子と電気的に接続されている。フォトカプラＰＣ１のフォトトランジスタのコレクタは、抵抗Ｒ２４，Ｒ２５の直列回路を介して制御電源Ｖｃｃに電気的に接続される。フォトカプラＰＣ１のフォトトランジスタのエミッタは、グランドに電気的に接続される。抵抗Ｒ２６は、抵抗Ｒ２４，Ｒ２５の接続点とグランドの間に電気的に接続される。抵抗Ｒ２６の両端には、一対の出力端子６８，６９が各々電気的に接続される。
【００２７】
入力端子６６，６７には、信号線５から高圧ＰＷＭ調光信号が入力される。ダイオードブリッジＤＢ２は、入力端子６６，６７を無極性化するために設けられる。ダイオードブリッジＤＢ２の出力電圧は、抵抗Ｒ２１，Ｒ２２の分圧回路によって分圧される。ツェナーダイオードＺＤ１は、フォトカプラＰＣ１を保護するために使用されている。高圧ＰＷＭ調光信号のオン期間に、フォトトランジスタがオンになり、フォトトランジスタのコレクタとエミッタ間に電流が流れる。制御電源Ｖｃｃの電圧は、抵抗Ｒ２４，Ｒ２５，Ｒ２６に分圧されて出力端子６８，６９から出力される。フォトトランジスタがオフの場合、制御電源Ｖｃｃの電圧は、抵抗Ｒ２５，Ｒ２６に分圧されて出力端子６８，６９から出力される。抵抗Ｒ２６は、抵抗Ｒ２４よりも非常に高い抵抗値に設定される。変換部１３は、高圧ＰＷＭ調光信号のオン期間に、ローレベルとなり、オフ期間に、ハイレベルとなる電圧（ＰＷＭ調光信号）を出力する。したがって、変換装置４によって反転された高圧ＰＷＭ調光信号は、変換部１３によって、デューティ比が再度反転して、コントローラ２が生成したＰＷＭ調光信号と同じデューティ比のＰＷＭ調光信号に変換される。
【００２８】
点灯回路部１２は、ＬＥＤからなる光源１１を点灯させるために、交流電源１００からの交流電圧・交流電流をコンバータ回路等によって直流電圧・直流電流に変換する。さらに、点灯回路部１２は、図１に示すように、変換部１３から出力されたＰＷＭ調光信号の調光レベルを受け取り、降圧回路等によって直流電圧を調光レベルに対応する電圧値に制御する。
【００２９】
コントローラ２のタイムスケジュール制御について、図１、図５を参照して説明する。
【００３０】
タイムスケジュール制御では、ユーザが、コントローラ２の入力部２０２を使用して調光レベルやその期間を入力及び変更することができる。
【００３１】
図５は、横軸を時間軸とし、縦軸を調光レベルとした、タイムスケジュール制御のタイムチャートを示している。
【００３２】
タイムスケジュール制御では、ユーザが、図５に示すように、１日（２４時間）を複数の期間、例えば、期間Ｓ１，Ｓ２，Ｓ３，Ｓ４，・・・に分けて、各期間Ｓ１，Ｓ２，Ｓ３，Ｓ４の時間と調光レベルとを指定することができる。コントローラ２の入力部２０２に入力された調光レベルとその時間は、コントローラ２の制御部２０１のマイコンの記憶部に記憶される。
【００３３】
最初に、コントローラ２は、期間Ｓ１の調光レベルに基づいてＰＷＭ調光信号を生成する。期間Ｓ１の調光レベルはＤ４（ここでは１００％とする）なので、期間Ｓ１のデューティ比を例えば９５％に設定する。コントローラ２の制御部２０１は、９５％のデューティ比のＰＷＭ調光信号を生成する。信号出力部２０４は、ＰＷＭ調光信号を変換装置４に送信する。各照明器具１は、期間Ｓ１の間、１００％の調光レベルで点灯する。
【００３４】
図５に示すように、コントローラ２の制御部２０１は、期間Ｓ１が終了すると期間Ｓ２に移行する。この場合、コントローラ２は、期間Ｓ１の調光レベルＤ４から期間Ｓ２の調光レベルＤ３に達するまで調光レベルをフェードアウトさせていく。
【００３５】
調光レベルが調光レベルＤ３にまで低下すると、コントローラ２は、期間Ｓ２が終了するまで、調光レベルＤ３に対応するＰＷＭ調光信号を生成し出力する。
【００３６】
期間Ｓ２が終了すると、図５に示すように、コントローラ２は、期間Ｓ１から期間Ｓ２に移行したときと同様に、期間Ｓ３の調光レベルＤ１に達するまで調光レベルをフェードアウトさせる。
【００３７】
期間Ｓ３が終了して期間Ｓ４に移行する場合、コントローラ２は、調光レベルを期間Ｓ３の調光レベルＤ１から期間Ｓ４の調光レベルＤ２までフェードインさせる。
【００３８】
ただし、調光レベルのフェードアウト及びフェードインは、必ずしもコントローラ２で行う必要はなく、点灯回路部１２がフェードアウト及びフェードインの制御を行ってもよい。この場合、例えば、期間Ｓ１から期間Ｓ２に移行する場合、点灯回路部１２は、調光レベルＤ４と調光レベルＤ３の差分を計算し、所定の時間内で光源１１の発光がフェードアウトするように光源１１に印加する電圧を制御する。
【００３９】
ところで、本実施形態の照明制御システムでは、ＰＷＭ調光信号を使用したが、１Ｖ〜１０Ｖまでの直流電圧の調光信号を用いてもよいし、ＤＡＬＩ（Ｄｉｇｉｔａｌｌｙ  Ａｄｄｒｅｓｓａｂｌｅ  Ｌｉｇｈｔｉｎｇ  Ｉｎｔｅｒｆａｃｅ）等のシリアル信号を使用してもよい。さらに、調光信号は、調光情報だけでなく、色温度情報を伝送する調色制御に用いられてよい。
【００４０】
信号線５における電力の損失を抑制するには、信号線５に流れる電流を小さくする必要がある。ゆえに、変換部１３の入力インピーダンスは、高インピーダンスとなるように設計されることが好ましい。
【００４１】
ＰＷＭ調光信号では、急速に電圧・電流が変化すると不要輻射ノイズが発生し易くなるので、変換部１３の入力インピーダンスを高くするだけではなく、電圧・電流の立ち上がり及び立ち下がりを緩やかな勾配にすることが好ましい。
【００４２】
変換装置４は、力率を改善するために、ダイオードブリッジＤＢと平滑コンデンサＣ１間に昇圧チョッパー回路を有してもよい。また、変換装置４は、抵抗Ｒ２をトランジスタに置き換えてハーフブリッジ構造にしてもよい。つまり、変換装置４は、２個のトランジスタを使用してＰＷＭ調光信号に応じて相互にスイッチングしてもよい。
【００４３】
コントローラ２は、変換装置４を内蔵してもよい。
【００４４】
本実施形態の照明制御システムは、１乃至複数の照明器具１と、照明器具１に交流電圧・交流電流を供給するため電力線６と、調光レベルを指示する調光信号を生成して出力するコントローラ２とを備える。さらに、本実施形態の照明制御システムは、調光信号の調光レベルを変えずに波高値が交流電圧の実効値と同等以上である高圧調光信号に変換する変換装置４と、高圧調光信号を照明器具１に伝送する信号線５とを備える。照明器具１は、光源１１と、高圧調光信号を調光信号に変換する変換部１３と、電力線６とを介して供給される交流電圧・交流電流を用いて、光源１１を点灯する点灯回路部１２とを備える。点灯回路部１２は、変換部１３で変換された調光信号の調光レベルに対応して光源１１を調光点灯するように構成される。
【００４５】
したがって、本実施形態の照明制御システムでは、配線長による電圧降下を抑制しつつ調光制御の自由度を高くすることができる。照明制御システムの設置後、ユーザは、調光レベルの入力や変更等を容易に行うことができる。さらに、照明器具１の変換部１３がマイコンを使用せず、抵抗分圧回路等で構成されるので、本実施形態の制御システムは、変換装置４を追加しても低コストのシステムを構築することが可能である。
【００４６】
本実施形態の照明制御システムにおいて、コントローラ２は、調光信号として、一定周期のパルス信号のデューティ比を前記調光レベルで変調したパルス幅変調（ＰＷＭ）信号を生成することが好ましい。
【００４７】
したがって、本実施形態の照明制御システムにおいて、コントローラ２は、ＰＷＭ調光信号を出力するので、本実施形態の照明制御システム以外のシステムでも共通して使用することができる。
（実施形態２）
本実施形態の照明制御システムにおいて、コントローラ２１が生成するＰＷＭ調光信号の代わりに、ＤＭＸ５１２調光信号を使用する点、及び変換装置４１がＤＭＸ５１２調光信号を導通角制御信号に変換する点が実施形態１と相違する。なお、コントローラ２１は、実施形態１のコントローラ２に代えて使用されるが、ＤＭＸ５１２調光信号を使用する点以外はコントローラ２と同様の構成及び機能を有する。また、変換部１３１が導通角制御信号をＤＭＸ５１２調光信号に変換する点で実施形態１と相違する。さらに、点灯回路部１２１が、ＤＭＸ１２調光信号を扱う点で実施形態１と相違する。ただし、実施形態１と重複する構成については同じ符号を付し、詳しい説明は省略する。
【００４８】
本実施形態の照明制御システムについて、図６を参照して説明する。
【００４９】
コントローラ２１の制御部２１１は、入力部２１２から入力された調光レベルを基に、スタートビット、データビット、ストップビット等で構成されるＤＭＸ５１２の規格に対応したＤＭＸ５１２調光信号を生成する。コントローラ２１の信号出力部２１４は、生成したＤＭＸ５１２調光信号を、ＤＭＸ５１２調光信号線３１を介して変換装置４１に送信する。なお、コントローラ２１の表示部２１３は、調光レベルを表示することが好ましい。
【００５０】
変換装置４１は、トライアック等を用いて、交流電源１００から供給される交流電圧の導通角を、ＤＭＸ５１２調光信号に対応して変化させるように構成される。例えば、変換装置４１は、ＤＭＸ５１２調光信号のスタートビット、データビット、ストップビットで構成される１フレームを受信する。変換装置４１は、受信したＤＭＸ５１２調光信号の１フレームを４ビット毎に分割する。４ビットに分割された信号は１６通りになるので、交流電源１００の交流電圧の半周期を、π／１６に分割させて、１対１に対応させればよい。高電圧の導通角制御信号は、信号線５１を介して照明器具１の変換部１３１に伝送される。ただし、変換装置４は、ＤＭＸ５１２信号で指示される調光レベルのみを導通角に対応させてもよい。
【００５１】
変換部１３１は、高電圧の導通角制御信号をダイオードブリッジＤＢ２で全波整流したあと、１フレーム分に相当する高圧導通角制御信号を低電圧のＤＭＸ５１２調光信号に変換する。
【００５２】
点灯回路部１２１は、このＤＭＸ５１２調光信号を受信し、ＤＭＸ５１２調光信号から調光レベルを読み出す。
【００５３】
なお、電力ケーブル１０は、電力線６と信号線５１とを収納しており、電力線６の一線と信号線５の一線を共通化してもよい。
【００５４】
本実施形態の照明制御システムでは、調光信号として、一定周期の正弦波電圧の導通角を調光レベルで変調した導通角制御信号を生成することが好ましい。
【００５５】
このように、本実施形態の照明制御システムは、舞台やＴＶ（Ｔｅｌｅｖｉｓｉｏｎ）スタジオ等で普及されている制御システムを流用することができる。
（実施形態３）
本実施形態に係る照明制御システムについて、図７及び図８を参照して説明する。本実施形態の照明制御システムにおいて、変換装置４２がＰＷＭ調光信号を導通角制御信号に変換する点、及び変換部１３２が導通角制御信号をＰＷＭ調光信号に変換する点が実施形態１と相違する。本実施形態の照明制御システムの構成において、実施形態１または２と重複する構成については同じ符号を付し、詳しい説明は省略する。
【００５６】
図８に示すように、変換装置４２は、コントローラ２によって生成されたＰＷＭ調光信号（図８Ｂ）を、トライアック等を用いて構成された回路によって高電圧の導通角制御信号（図８Ａ）に変換する。高電圧の導通角制御信号（図８Ａ）は信号線５２を介して変換部１３２に入力される。変換部１３２は、高電圧の導通角制御信号（図８Ａ）をＰＷＭ調光信号に変換する。
【００５７】
なお、電力ケーブル１０は、電力線６と信号線５２とを収納している。
【００５８】
このように、本実施形態の照明制御システムにおいて、コントローラ２は、ＰＷＭ調光信号を出力するので、本実施形態の照明制御システム以外のシステムでも共通して使用することができる。
（実施形態４）
本実施形態に係る照明制御システムについて、図９を参照して説明する。本実施形態の照明制御システムにおいて、照度センサ７がさらに追加されている点と、コントローラ２２が照度センサ７によって検出された照度によって調光信号を生成する点が実施形態１と相違する。なお、コントローラ２２は、実施形態１のコントローラ２に代えて使用されるが、照度センサ７によって検出された照度によって調光信号を生成する点以外はコントローラ２と同様の構成及び機能を有する。本実施形態の照明制御システムの構成は、実施形態２又は３と併用可能である。また、実施形態１乃至３と重複する構成については同じ符号を付し、詳しい説明は省略する。
【００５９】
照度センサ７は、トンネルの出入口付近の路面の照度を検出するように構成されることが好ましい。
【００６０】
コントローラ２２は、通信部２２２を有する。通信部２２２は、照度センサ７との間でＲＳ４８５の規格に準拠した通信を行うように構成される。コントローラ２２の制御部２２１は、信号線８を介して通信部２２２で受信したセンサ値に対応して、調光レベルを決定しＰＷＭ調光信号を生成する。制御部２２１によって生成されたＰＷＭ調光信号は、出力部２２４から出力される。なお、コントローラ２２の表示部２２３は、照度センサ値及び調光レベルを表示することが好ましい。
【００６１】
ただし、通信は、ＲＳ４８５以外の制御に準拠した通信を行うように構成されてもよい。
【００６２】
なお、本実施形態照明制御システムは、照度センサ７を用いた例であるが、車の走行台数を検出するセンサを用いて、車の走行頻度に応じて光源１１の調光レベルを制御してもよい。
【００６３】
本実施形態の照明制御システムでは、照度を検出する照度センサ７をさらに備え、コントローラ２２は、照度センサ７で検出される照度に対応した調光レベルによって調光信号を生成して出力することが好ましい。
【００６４】
したがって、本実施形態の照明制御システムにおいて、不要な光出力を抑制することが可能である。ゆえに、照明器具１が減少して、コスト削減が期待できる。
【符号の説明】
【００６５】
１  照明器具
１１  光源
１２  点灯回路部
１３  変換部
２  コントローラ
４  変換装置
５  信号線
６  電力線
【図１】
0006399445.tif 000002
【図２】
0006399445.tif 000003
【図３】
0006399445.tif 000004
【図４】
0006399445.tif 000005
【図５】
0006399445.tif 000006
【図６】
0006399445.tif 000007
【図７】
0006399445.tif 000008
【図８】
0006399445.tif 000009
【図９】
0006399445.tif 000010